Podtech/llm-jp-corpus-v4-ja_patent huggingface dataset:
(57)【要約】      （修正有）【課題】顧客が食品用容器内の食品を確認することができる窓付き蓋部からなる食品用容器を提供する。【解決手段】本体部は４つの壁板をもち、蓋部がその４つの板の１つに結合されており、よって該蓋部を本体部に結合させることができ、該蓋部は窓部をもち、透明フィルムが該蓋部に貼付され該窓部を覆った、食品用容器。【選択図】図１
0003100927.tif 000002
【実用新案登録請求の範囲】
【請求項１】
４つの壁板をもつ本体部と、
本体部の上部にのせる蓋部に、窓部と該蓋部に貼付され該窓部を覆う透明フィルムとを備える蓋部と
を含んでなる食品用容器。
【請求項２】
本体部は第一部および第二部を含み、
第一部および第二部は各々相対する２つの側壁板をもち、
第一部は２つの互いに隣接した側壁板によって第二部に結合されており、
第一部および第二部は各々相対する２つの端壁板をもち、
側壁板は第一部と第二部の各側壁板の両端の二つの角部によって端壁板に結合されており、
延長部が第二部の各端壁板から延びており、
各角部は、隣接する第一部と第二部各々の側壁板と端壁板を引き寄せることによって、折り曲げられ、
延長部は第一部の端壁板に接着される、
以上の特徴を含んでなる、請求項１に記載の食品用容器。
【請求項３】
蓋部の１辺が第二部の側壁板の１つに結合されていることを特徴とする請求項２に記載の食品用容器。
【請求項４】
蓋部の３辺には３つの側板が結合されていることを特徴とする請求項３に記載の食品用容器。
【考案の詳細な説明】
【技術分野】
【０００１】
本考案は、窓を通して食品の確認を行うことができる窓付き蓋部を有する食品用容器に関する。
【背景技術】
【０００２】
従来の持ち帰り用食品用容器は、一般的に、本体部と食品を収容する本体部上部開口部に備え付けられた蓋部を含むものである。製造者は、通常、食品用容器の封印機能に着目し、よって食品とりわけ食品の液体の漏れを防いでいる。弁当箱によっては厨房で蓋をされるので、顧客は棚又は弁当箱の説明書きもしくはメニューによってのみ弁当を選ぶこととなる。しかしながら、殆どの弁当箱は漏れを効果的に防ぐ工夫がされているので、顧客にとっては、漏れを心配するより、弁当箱の中身に関心がいくものである。したがって、顧客が食品用箱又は弁当箱の中身がどのように調理されているのかを確認するために、顧客、製造業者共に繰り返し容器の蓋の開閉に多くの時間を費やしている。これは、ビジネスの遅滞を招き、時間を要するサービスにより顧客満足は得られない。
【考案の開示】
【考案が解決しようとする課題】
【０００３】
本考案が解決しようとする課題は、４つの壁板をもつ本体部と本体部に備え付けられた窓付き蓋部からなる食品用容器を提供することである。
【０００４】
本考案は、説明のみを目的とした本考案の最良の実施の形態を示す図面との関連において、以下の説明によってより明らかとなる。
【考案を実施するための最良の形態】
【０００５】
図１から図４に示すように、本考案の食品用容器１０は、第一部１１そして第二部１２から構成される本体部からなる。第一部１１、第二部１２は各々相対する両側面に２つの側壁板１３、相対する両端に２つの端壁板１４をもつ。第一部１１は２つの互いに隣接した側壁板１３によって第二部１２に結合されている。側壁板１３は第一部１１と第二部１２の各側壁板１３の両端の二つの角部１５によって端壁板１４に結合されている。延長部１４１は第二部１２の各端壁板１４から延びている。
【０００６】
各角部１５は、隣接するする第一部１１と第二部１２各々の側壁板１３と端壁板１４を引き寄せるために、中心で折り曲げられる。これによって、第一部１１と第二部１２とは各々４つの壁板を持つ。この時、延長部１４１は第一部の端壁板１４に接着される。固定板３１を第二部１２の側壁板１３に接着することによって、複数の仕切り片３０を第二部に取付けることも可能である。
【０００７】
蓋部１６は４辺を持ち、その１辺が第二部１２の側壁板１３の１つに結合されている。蓋部の他の３辺には３つの側板１７が結合されており、よって蓋部１６を本体部にはめ込むことができる。２つの窓部１６１は蓋部１６に設けられ、透明フィルム２０が蓋部１６に貼付され、窓部１６１を覆う。透明フィルムはDupont  Biomax  PET  4024、Low  Density  PE又は耐熱フィルムにすることが可能である。蓋部１６は、本体部とは独立して製造することもでき、透明フィルム２０は機械的に蓋部１６に貼付可能である。
【図面の簡単な説明】
【０００８】
【図１】本考案の食品用容器の展開図である。
【図２】本考案の蓋部が開かれた状態を示す斜視図である。
【図３】本考案の蓋部が閉じられた状態を示す斜視図である。
【図４】透明フィルムが蓋部に張付される状態を示す分解図である。
【符号の説明】
【０００９】
１０    食品用容器
１１    第一部
１２    第二部
１３    側壁板
１４    端壁板
１４１  延長部
１５    角部
１６    蓋部
１６１  窓部
１７    側板
２０    透明フィルム
３０    仕切り片
３１    固定板
【図１】
0003100927.tif 000003
【図２】
0003100927.tif 000004
【図３】
0003100927.tif 000005
【図４】
0003100927.tif 000006
(57)【要約】【課題】ごみ箱１個でいろいろな種類のごみを分別できるようにする。【課題手段】ごみ箱の上部に切れ目を入れ、複数のごみ袋をセットできるようにし、また洗濯ばさみのようなものでそれらを固定し、ネームプレートでごみの種類を表示するようにした。【選択図】図２
0003100944.tif 000002
【実用新案登録請求の範囲】
【請求項１】
複数のごみ袋をセットできるようにしたごみ箱。
【考案の詳細な説明】
【０００１】
【考案が解決しようとする課題】
従来のごみ箱１個ではいろいろな種類のごみを分別できず、分別するためには複数のごみ箱を用意しなければならないという問題点を有していた。
【０００２】
【課題を解決するための手段】
上記目的を達成するために、従来のごみ箱の上部に切れ目を入れ、複数のごみ袋をセットできるようにし、また洗濯ばさみのようなものでそれらを固定し、ネームプレートでごみの種類を表示するようにした。
【０００３】
【考案の効果】
１個のごみ箱で複数の種類のごみを分別できる。
【図面の簡単な説明】
【図１】ごみ箱を上から見た図である。
【図２】ごみ箱を横から見た図である。
【図３】ごみ箱の断面図である。
【符号の説明】
１  ごみ箱上部の切れ目
２  ごみ袋を固定するための洗濯ばさみのようなもの
３  ネームプレート
【図１】
0003100944.tif 000003
【図２】
0003100944.tif 000004
【図３】
0003100944.tif 000005
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
従来のごみ箱の上部に複数の切れ目を入れることにより、１個のごみ箱で複数のごみ袋をセットできるようにすることでごみ分別に対応する。また洗濯ばさみのようなものでごみ袋を容易にセットできるようにし、ネームプレートでごみの種類を表示する。
【手続補正書】
【提出日】平成15年8月18日(2003.8.18)
【手続補正１】
【補正対象書類名】明細書
【補正対象項目名】実用新案登録請求の範囲
【補正方法】変更
【補正の内容】
【実用新案登録請求の範囲】
【請求項１】
ごみ箱の上部に複数の切れ目を入れ、洗濯ばさみのようなものを付け、ネームプレートでごみの種類を表示できるようにすることで、１個のごみ箱で複数のごみ袋をセットでき、ごみ分別に対応する。
【実用新案登録請求の範囲】
【請求項１】
ごみ箱の上部に複数の切れ目を入れ、洗濯ばさみのようなものを付け、ネームプレートでごみの種類を表示できるようにすることで、１個のごみ箱で複数のごみ袋をセットでき、ごみ分別に対応する。
【手続補正書】
【提出日】平成15年11月4日(2003.11.4)
【手続補正１】
【補正対象書類名】明細書
【補正対象項目名】実用新案登録請求の範囲
【補正方法】変更
【補正の内容】
【実用新案登録請求の範囲】
【請求項１】
ごみ箱の上部に複数の切れ目を入れることにより、複数のごみ袋をセットしやすくし、洗濯ばさみのようなものを付けることにより、セットしたごみ袋をはずれにくくし、ネームプレートでごみの種類を表示できるようにすることで、１個のごみ箱で複数のごみ袋を固定できるようにした、ごみ分別用ごみ箱。
(57)【要約】      （修正有）【課題】薬箱を回転させて、飲み忘れ飲みすぎを防ぐのを特徴とした回転式薬箱の提供。【解決手段】底板に心棒を取付け７個の薬箱を取り付け、それに８分の１の切りこむことより薬取り出し口を設けた、蓋、兼底板を、回転、回動にするため、上にのせ、また７個の薬箱をのせ、蓋、兼底板を上にのせ、また同じように７個の薬箱をのせ同じように切り込んだ、蓋をのせます、それから心棒リング穴に持ち運び様のリングを付けた。【選択図】図３
0003100943.tif 000002
【実用新案登録請求の範囲】
【請求項１】
薬箱を回転させて、飲み忘れ飲みすぎを防ぐのを特徴とした薬箱。
【考案の詳細な説明】
【０００１】
【考案の属する技術分野】
この考案は安心して薬が飲める薬箱に関するものである。
【０００２】
【従来の技術】
従来のものは固定された薬箱であった。
【０００３】
【考案が解決しょうとする課題】
これは次のような欠点がある。
１、今、飲んだのに又、飲む事がある。
２、飲み忘れすると危険な事がある。
【０００４】
【課題を解決するための手段】
薬箱を回すので飲み忘れと、飲み過ぎを防ぐものである。
【０００５】
【実施例】
考案の実施例について説明する。
薬箱を朝。昼。夜と三回服用する分を朝、一度に薬取出口まで運びます。
朝の分を飲んだら薬箱をそのままにして昼、薬を飲む時に朝の分の薬箱を動かして、昼の分を飲みます、昼飲んだ薬箱は夜まで、そのままにしておきます、そうすると各一箱ずつが蓋になります。
【０００６】
【考案の効果】
朝、昼、夜、と三段に分けると、いつ薬箱を見ても飲んだか飲んで、いな
いかが一目でわかるので安全である。
【図面の簡単な説明】
【図１】７日分２１個の薬箱の１個である。
【図２】上から見た７日分の薬箱と薬取出口である。
【図３】考案した７日分の薬箱を示す斜視図である。
【符号の説明】
▲１▼薬箱を動かすツメ
▲２▼薬箱を押す押金
▲３▼薬箱
▲４▼回転パイプ
▲５▼シャフト
▲６▼薬取出口
▲７▼持ち運び用のリング
▲８▼底板
▲９▼蓋
▲１０▼心棒（軸）
▲１１▼リング穴
【図１】
0003100943.tif 000003
【図２】
0003100943.tif 000004
【図３】
0003100943.tif 000005
【手続補正書】
【提出日】平成15年4月7日(2003.4.7)
【手続補正１】
【補正対象書類名】明細書
【補正対象項目名】実用新案登録請求の範囲
【補正方法】変更
【補正の内容】
【実用新案登録請求の範囲】
【請求項１】
【考案の詳細な説明】
一日に三回、薬を飲むとした場合いに朝、薬を飲む時に一日分朝、昼、夜の三回分を右の薬取り出し口まで一度に移動させてから、朝の一回分を飲みます、飲み終ったら薬箱を動かさずに、そのまゝ昼まで、おきます、そうすると蓋になりゴミが入らないので安心です、昼、薬を飲む時に、上の朝の薬箱を右に一箱分、移動させてから昼の薬を飲みます、飲んだら夜、薬を飲むまで動かさずに、そのまゝにしておきます、夜、薬を飲む時に上の昼の薬箱を右に一箱分、移動させてから夜の薬を飲みます夜、薬を飲んだ、その時に一箱分を右に移動させます、そうすると藥取り出し口が空になるので一日分が終わります、次の日同じ事をします。
七日分全部飲み終ったら朝と昼の間の底板ごと朝の薬箱七日分取り外してから、昼の薬箱七日分を取り外します、夜の薬箱はそのまゝにしておきます、夜の薬箱に藥を入れてから昼の薬箱を上にのせて、昼の藥を入れてから、また朝の薬箱を上にのせて朝の藥を入れてから、蓋をします。
薬箱全体を運ぶ時は、持ち運びリングをリング穴に通してから動かします。
【手続補正書】
【提出日】平成15年7月17日(2003.7.17)
【手続補正１】
【補正対象書類名】明細書
【補正対象項目名】実用新案登録請求の範囲
【補正方法】変更
【補正の内容】
【実用新案登録請求の範囲】
【請求項１】
底板に心棒を取り付け７個の薬箱を取り付け、それに８分の１を切りこんだ（藥取り出し口になる所です）蓋、兼底板を（回転、回動にするため）上にのせ、また７個の薬箱をのせ、蓋、兼底板を上にのせ、また同じように７個の薬箱をのせ同じように切り込んだ、蓋をのせます、それから心棒のリング穴に持ち運び用のリングを付けます
【手続補正書】
【提出日】平成15年10月20日(2003.10.20)
【手続補正２】
【補正対象書類名】明細書
【補正対象項目名】実用新案登録請求の範囲
【補正方法】変更
【補正の内容】
【実用新案登録請求の範囲】
【請求項１】
底板に心棒を取り付け７個の薬箱を取り付け、それに８分の１の切りこむことより藥取り出し口を設けた、蓋、兼底板を、回転、回動にするため、上にのせ、また７個の薬箱をのせ、蓋、兼底板を上にのせ、また同じように７個の薬箱をのせ同じように切り込んだ、蓋をのせます、それから心棒のリング穴に持ち運び用のリングを付けた、回転式薬箱。
(57)【要約】【課題】本考案は、鉄骨梁より外側に仮設手摺りを設ける事によって作業員の安全性と作業性を向上するための仮設資材を提供する。【解決手段】平板（５）に対して外側上斜め方向に差し込み口（６）を溶接固定し、鉄骨梁のウエブプレート（４）に対して垂直方向にその平板を溶接固定する。次にサヤ管側に取り付ける平板（２）に、上記で取り付けた差し込み口の角度と同じ角度で差し込み（７）を溶接固定し、サヤ管（１）にその平板（２）を溶接固定する。差し込み口（６）に差し込み式サヤ管を差し込む事によって、鉄骨梁より外側にサヤ管を設ける事ができ仮設手摺りを架設する事ができる。解体時は仮設手摺りを解体後、差し込み式サヤ管を引き抜いて転用ができる特徴とする。【選択図】  図３
0003100947.tif 000002
【実用新案登録請求の範囲】
【請求項１】
鉄骨建方工事に於ける仮設工事で、鉄骨梁より外側に仮設手摺りを設けるための仮設資材。鉄骨梁のウエブプレートの外側にあらかじめ差し込み口を取り付けた平板を垂直方向に溶接固定し、サヤ管にあらかじめ差し込みを取り付けた平板を垂直方向に溶接固定した物を差し込み口に差し込んで取り付ける差し込み式サヤ管。
【考案の詳細な説明】
【０００１】
【考案の属する技術分野】
この考案は、鉄骨梁より外側に仮設手摺りを設けるための差し込み式サヤ管に関するものである。
【０００２】
【従来の技術】
鉄骨梁の上フランジにサヤ管を溶接固定し、その中に縦地単管を建て仮設手摺りを施工している。
【０００３】
【考案が解決しようとする課題】
従来の仮設手摺り施工の場合は、鉄骨建方工事の段階では床板が無く作業員は鉄骨梁の上フランジを歩行している。しかし鉄骨梁の上フランジには仮設手摺りが施工されているため、作業員が歩行するのに歩きづらい状態になり物を持って歩く事が困難である。
【０００４】
【考案が解決しようとする課題】
本考案は、鉄骨梁のウエブプレートの外側にあらかじめ差し込み口を取り付けた平板を垂直方向に溶接固定し、サヤ管にあらかじめ差し込みを取り付けた平板を垂直方向に溶接固定した物を差し込み口に差し込んで取り付けることで、鉄骨梁より外側にサカ管が有り、鉄骨の梁より外側に仮設手摺りが施工する事ができる。これにより上記課題を解決するものである。
【０００５】
【考案の実施の形態】
以下、本考案の実施の形態について説明する。
図３に示すように、平板（５）に対して外側上斜め方向に差し込み口（６）を溶接固定し、鉄骨梁のウエブプレート（４）に対して垂直方向にその平板を溶接固定する。
次にサヤ管側に取り付ける平板（２）に、上記で取り付けた差し込み口の角度と同じ角度で差し込み（７）を溶接固定し、サヤ管（１）にその平板（２）を溶接固定する。
【０００６】
本考案は以上のような構造で、サヤ管（１）側の差し込み（７）を鉄骨梁側の差し込み口（６）に差し込む事によって図１に示すように、鉄骨梁より外側にサヤ管を設置する事ができるようになり、仮設手摺りを架設する事ができる。
【０００７】
【考案の効果】
鉄骨梁より外側に仮設手摺りが架設できるようになり、鉄骨建方時に仮設手摺りが設置されていても、作業員は物を持って鉄骨梁の上フランジをスムーズに歩行する事ができる。
【０００８】
鉄骨梁の上フランジに設置するコンクリート止め鋼製型枠工事を行う時、仮設手摺りが鉄骨梁より外側に仮設手摺りが有る事によって作業性の向上にもつながり、仮設手摺りを利用して防炎シートを張る事によって溶接作業の外部への溶射やスラブコンクリート打設作業の外部への跳ね返りを防ぐ事が可能である。
【０００９】
鉄骨梁のウエブプレート（５）の取り付け方法をボルト取り付けでは無く、斜めに差し込み式サヤ管にした事によって解体時ボルトナットの落下災害を防止する事ができ、スムーズに且つ安全に差し込み式サヤ管を解体する事ができる。
【図面の簡単な説明】
【図１】本考案の正面図
【図２】本考案の斜視図
【図３】本考案の差し込み使用状態を示す説明図
【図４】本考案の差し込み部分の断面図
【符号の説明】
１  サヤ管
２  サヤ管側の平板
３  鉄骨梁の上フランジ
４  鉄骨梁のウエブプレート
５  鉄骨梁側の平板
６  差し込み口
７  差し込み
【図１】
0003100947.tif 000003
【図２】
0003100947.tif 000004
【図３】
0003100947.tif 000005
【図４】
0003100947.tif 000006
【手続補正書】
【提出日】平成15年7月17日(2003.7.17)
【手続補正１】
【補正対象書類名】明細書
【補正対象項目名】実用新案登録請求の範囲
【補正方法】変更
【補正の内容】
【実用新案登録請求の範囲】
【請求項１】
鉄骨建方工事に於ける仮設工事で、鉄骨梁より外側に仮設手摺りを設けるための仮設資材であって、鉄骨梁のウエブプレートの外側にあらかじめ差し込み口を取り付けた平板を垂直方向に溶接固定し、サヤ管にあらかじめ差し込みを取り付けた平板を垂直方向に溶接固定した物を差し込み口に差し込んで取り付ける差し込み式サヤ管。
【手続補正書】
【提出日】平成15年11月14日(2003.11.14)
【手続補正１】
【補正対象書類名】明細書
【補正対象項目名】実用新案登録請求の範囲
【補正方法】変更
【補正の内容】
【実用新案登録請求の範囲】
【請求項１】
鉄骨建方工事に於ける仮設工事で、鉄骨梁より外側に仮設手摺りを設けるための仮設資材であって、鉄骨梁のウエブプレートの外側に溶接固定された平板に取り付けられた差し込み口に差し込んで取り付けるための差し込み式サヤ管であって、差し込みの構造を有する差し込み式サヤ管。
(57)【要約】      （修正有）【課題】動植物等のイラストレーションやマーク等との組み合わせも可能であり、特異な形で意外性に富み、安心して装用を楽しむことができる、装身具や看板及びタイトル等、変化に乏しいものであった。【解決手段】文字やイラストレーション及び団体のマーク等に、他の文字やイラストレーション及び団体等のマークを任意角度で交差立体に形成することで、特異な形となった。これを基に装身具や看板及びタイトル等、多岐にわたり利用できる。【選択図】図１
0003100948.tif 000002
【実用新案登録請求の範囲】
【請求項１】
文字やイラストレーション及び団体等のマークに他の文字・イラストレーション・団体等のマークを、任意の角度で交差立体に形成したことを特徴とする装身具。
【請求項２】
請求項１と同特徴な看板。
【請求項３】
請求項１・２の特徴を映像で構成したことを特徴とする、テレビコマーシャルやテレビタイトル。
【考案の詳細な説明】
【０００１】
【考案の属する技術の分野】
本考案は造形に係り、文字やイラストレーション及び団体等のマークに他の文字・イラストレーション・団体等のマークを、任意の角度で交差立体に形成することにより、意外性に富んだ造形に関す。
【０００２】
【従来の技術】
装身具はその種類や構造など、多岐にわたり文字やアルファベットのものが多く提供されている。
【０００３】
看板やテレビコマーシャル及びタイトル等に立体の、文字やイラストレーション及び団体等のマークと、多岐にわたっていた。
【０００４】
【考案が解決しようとする課題】
災害や事件が取り沙汰される此の頃、上京する娘に身に付けるものを持たせたかった。
【０００５】
従来、キーホルダー等装身具に文字やアルファベットのものも多く提供されていたが、それらは名前やイニシャルであることが容易に想像がついた。
【０００６】
本来、親しい人ではない限り、他人に名前やイニシャルは容易に知られたくないもの。
【０００７】
看板やテレビコマーシャル、及びタイトルなどにも立体や立体に見えるものも多かったが、変化に乏しいものであった。
【０００８】
【課題を解決するための手段】
本考案は、文字やイラストレーション及び団体等のマークに、他の文字・イラストレーション・団体等のマークを、任意の角度で交差立体形成することにある。
【０００９】
【考案の実施例】
図１は、本考案の実施例を具体的に例示し、文字と文字を任意の角度で交差立体形成して斜視図に示す。図２の（イ）は、図１の片面の文字で哲を崩し図示したものである。図２の（ロ）は、図１のもう片面の文字也を崩し、図示した。
【００１０】
両文字の線が複雑に入り交じり、特異な形で意外性に富んだ造形であり、姓名だけではなく頭文字や動植物のイラストレーション、マークや家紋といった多様な組み合わせをすることで興趣に富んだ装身具の提供を可能とする。
【００１１】
図３の（イ）に仮想のマークを示し、図３の（ロ）は自動車のイラストレーションを示す。図４は、図３の（イ）マークと図３の（ロ）イラストレーションを、任意の角度で交差立体形成し斜視図に示した例である。
【００１２】
看板の片面にマークを。他面には、イラストレーションを配し、看板を回転することで、マークは線の変化を経てイラストレーションへと変化する。
【００１３】
本考案を、テレビコマーシャルやタイトルに利用する。例えば、画面に社のマークを映し出す。社のマークは看板と同様に回転し、線の変化を経て自動車のイラストレーションへと変化する。それは次第に、写真へと変わり自動車は動くことになる。
【００１４】
旧型の製品から新製品への紹介にも利用できる。文字などを回転することで線の変化を経て、次の文字やマークへと変化。これをテレビタイトルとしても利用できる。
【００１５】
展示場等の看板において、テレビコマーシャルに使用したものと同様のものがあると、来場した者に対して視覚的興味を得ることができる。
【００１６】
【考案の効果】
本考案によれば、装用者の姓もしくは名、頭文字等でありがなら、他人にはそれと気づかれることはない。動植物等のイラストレーションやマーク等との組み合わせも可能であり、特異な形で意外性に富み、安心して装用を楽しむことができる。
【００１７】
社のマークや製品のイラストレーションを組み合わせた看板は、社名及びマークや製品を強く印象づけることができる。
【００１８】
テレビコマーシャルやテレビのタイトルにおいても、本考案による文字やマーク及びイラストレーションから、線の変化を経て他の文字やマーク及びイラストレーションへ変化することで、視覚的印象を強くすることができる。
【００１９】
テレビ画面等で印象を受けた者が、展示場等の看板に同様なものを見ると、より一層の興味を持ち、何度となく繰り返し見ることになる。それにより、社名及びマークと製品の印象をより強く与えることができる。
【図面の簡単な説明】
【図１】は本考案の、文字の実施例の斜視図である。
【図２】図１における文字を示したもので、（イ）はその片面の文字、哲をくずし、（ロ）は別面の、也を崩し、それぞれに示す。
【図３】（イ）にマークを示し、（ロ）はイラストレーションを示す。
【図４】は図３（イ）のマークと（ロ）のイラストレーションを交差立体形成して斜視図に示した。
【図１】
0003100948.tif 000003
【図２】
0003100948.tif 000004
【図３】
0003100948.tif 000005
【図４】
0003100948.tif 000006
【手続補正書】
【提出日】平成15年9月10日(2003.9.10)
【手続補正１】
【補正対象書類名】明細書
【補正対象項目名】実用新案登録請求の範囲
【補正方法】変更
【補正の内容】
【実用新案登録請求の範囲】
【請求項１】
立体的に形成された文字や記号、イラストレーション及び団体などのマーク
等に、角度を変え他の方向からも立体的に文字や記号、イラストレーション及び団体など
のマーク等を形成した造形を特徴とする装身具。
【請求項２】
立体的に形成された文字や記号、イラストレーション及び団体などのマーク
等に、角度を変え他の方向からも立体的に文字や記号、イラストレーション及び団体など
のマーク等を形成した造形を特徴とする看板。
(57)【要約】      （修正有）【課題】頭の上部、側部、後部を写し見ることができる鏡を提供する。【解決手段】鏡を吸盤とフレキシブルチューブの組み合わせにより、固定された鏡に簡単に取り付けることができ、フレキシブルチューブに取付けた鏡は自在に動かす事が可能であるため、頭部の周囲を容易に写し見ることができる。【選択図】図１
0003100946.tif 000002
【実用新案登録請求の範囲】
【請求項１】
吸盤の使用により鏡の取付、取り外しが容易にできフレキシブルチューブを使用することにより鏡を自在に動かす事ができる。
【考案の詳細な説明】
【０００１】
〔考案が解決しようとする課題〕
固定された一つの鏡では、自分の頭の上部、側部、後部を写し見ることができない。
【０００２】
〔課題を解決するための手段〕
鏡を吸盤とフレキシブルチューブと組み合わせた事により、鏡が容易に動くため、頭の周囲を写し見ることができる。
【０００３】
〔考案の効果〕
手鏡を必要とせず頭の上部、側部、後部を写し見ることができ、ヘアーセット、ヘアーカット、ヘアーカラーの作業を自分で両手を使ってできる。
【図面の簡単な説明】
【図１】固定された鏡に考案した鏡を取付けた立体図である
【図２】考案した鏡の立体図である
【符号の説明】
１  固定された鏡
２  吸盤
３  フレキシブルチューブ
４  鏡
【図１】
0003100946.tif 000003
【図２】
0003100946.tif 000004
【手続補正書】
【提出日】平成15年7月14日(2003.7.14)
【手続補正２】
【補正対象書類名】明細書
【補正対象項目名】実用新案登録請求の範囲
【補正方法】変更
【補正の内容】
【実用新案登録請求の範囲】
【請求項１】
鏡本体にフレキシブルチューブ、吸盤を接続、可動着脱自在としたところを特徴とする合せ鏡
【手続補正書】
【提出日】平成15年10月20日(2003.10.20)
【手続補正１】
【補正対象書類名】明細書
【補正対象項目名】実用新案登録請求の範囲
【補正方法】変更
【補正の内容】
【実用新案登録請求の範囲】
【請求項１】
固定された鏡（１）に取り付けて、頭の上部、側部、後部を写し見る際に利用する鏡において、前記固定された鏡（１）に着脱可能とする吸盤（２）、該吸盤（２）に一端を取り付けたフレキシブルチューブ（３）、該フレキシブルチューブ（３）の他端に取り付けた鏡（４）よりなることを特徴とする合せ鏡。
(57)【要約】      （修正有）【課題】比較的荒れていないグランドばかりでなく、荒れている状態のグランドでも一種類のグランド整地具できれいに整地する。【解決手段】本考案は、接合部2で接合してなる２枚のグランド整地具1の整地部が２枚同方向に片側がレーキ状、その反対側が直線状とした。また、このグランド整地具を同一平面上に連結部で連結具により連結した。【選択図】図３
0003100904.tif 000002
【実用新案登録請求の範囲】
【請求項１】
接合部で接合してなる２枚のグランド整地具において、該グランド整地具に連結部を設け、地面に接する整地部が、該グランド整地具２枚同方向に片側がレーキ状、その反対側が直線状に形成してなるグランド整地具
【請求項２】
請求項１記載のグランド整地具を同一平面上に連結部で連結具により複数連結し、索引用の連結部を設けた枠部材に取り付けてなるグランド整地具
【請求項３】
索引具から見てグランド整地具の後方の枠部材に整地用ブラシを取り付け、この整地用ブラシは、グランド表面に接触するよう構成されてなる請求項２記載のグランド整地具
【考案の詳細な説明】
【技術分野】
【０００１】  本考案は、グランドの荒れた状態により、使い分けることのできるグランド整地具に関するものである。
【背景技術】
【０００２】  従来、この種のグランド整地具としては、グランドを整地する整地部が、金網部材で構成されていたり（特開昭６３−１２５７０５）、網目模様に同一平面状に連結されたグランド整地具の整地部がレーキ状でなく、直線状であった。
【考案の開示】
【考案が解決しようとする課題】
【０００３】  従来、この種のグランド整地具では、グランドを整地する整地部が金網部材であったり、網目模様に連結された整地具の整地部が直線状であった。そのため、整地しようとするグランドが荒れている状態では、でこぼこを削ることができず、他のレーキ状の整地具も用いなければきれいに整地できないという問題点を有していた。本考案は、上述の問題点に鑑みてなされたものであり、比較的荒れてないグランドばかりでなく、荒れている状態のグランドでもひとつのグランド整地具できれいに整地することを課題としたものである。
【課題を解決するための手段】
【０００４】  上記目的を達成するために、本考案におけるグランド整地具は、接合部で接合してなる２枚のグランド整地具の整地部が２枚同方向に片側がレーキ状、その反対側が直線状としたため課題を解決した。
【考案の効果】
【０００５】  上述の様に、本考案のグランド整地具は、直線状の整地部で比較的荒れていないグランドを整地するのは勿論、荒れた状態のグランドでもレーキ状の整地部で地面のでこぼこを削り取るためきれいに整地することができる。
【考案を実施する最良の形態】
【０００６】  整地部がグランド面に平らに接触するよう、平面上に請求項１記載のグランド整地具を網目模様に連結し、枠部材に取り付ける。また、索引具から見て枠部材の後方に、地面に接触するような状態で整地用ブラシを枠部材に取り付ける。
【実施例】
【０００７】  実施例について、図面を参照して説明する。図１において、グランド整地具１は、レーキ状と直線状の整地部を持ったスチール製の整地具１を２枚接合部２でスポット溶接して接続する。図４において、グランド整地具１は、穴状の連結部３に棒状の連結具４を通して、枠部材５に固定する。図５において、整地用ブラシ６は、シダブラシとし、索引具７から見て枠部材の後方に地面に接触できるように枠部材に取り付ける。【０００８】  本考案の一実施例は、上述のとおり構成されたものであるから、グランド整地具１の天地を入れ替えて、枠部材に簡単に取り付けることができるので、比較的荒れていないグランドは勿論のこと、荒れたグランド状態でも、一種類のグランド整地具で整地することがきる。
【図面の簡単な説明】
【０００９】
【図１】請求項１記載のグランド整地具の側面図
【図２】請求項１記載のグランド整地具を上から見た図
【図３】請求項１記載のグランド整地具の斜視図
【図４】請求項２記載のグランド整地具を上から見た図
【図５】請求項３記載のグランド整地具の整地作業状態説明図
【符号の説明図】
【００１０】１  グランド整地具
２  接合部
３  連結部
４  連結具
５  枠部材
６  整地用ブラシ
７  索引具
【図１】
0003100904.tif 000003
【図２】
0003100904.tif 000004
【図３】
0003100904.tif 000005
【図４】
0003100904.tif 000006
【図５】
0003100904.tif 000007
(57)【要約】
【課題】  本考案は、風を防ぐのではなく雨・埃は防ぎ、風をある程度通すことにより、自転車、スクーターの本来の運転者が、快適に風を受けることができるようにし、また自転車等の前部に付いているカゴを蓋することにより、防犯対策にもなるフードを提供する。
【解決手段】  ネットを使用することにより虫や雨や埃は防ぎ、風は通し、フードが立設の状態では運転者の顔の前の位置にネットを固定でき、且つ傾斜の状態では前カゴを蓋できる位置に固定でき、防犯対策となる。
【選択図】  図１
0003100907.tif 000002
【実用新案登録請求の範囲】
【請求項１】
自転車等のハンドルから支持されているカウル型の防虫兼防犯ネットであって、立設している状態と傾斜の状態とに防虫兼防犯ネットを変位、固定を可能に構成したことを特徴とする自転車等の防虫兼防犯ネット。
【考案の詳細な説明】
【技術分野】
【０００１】  本考案は、自転車やスクーター等、風防や雨よけのように運転者を虫や埃、雨等から保護する為のフードに関するものである。
【背景技術】
【０００２】  自転車やスクーター等の風よけ、雨よけ、埃よけとして、フードが固定する形になっていた。
【考案の開示】
【考案が解決しようとする課題】
【０００３】  本考案は、風を防ぐのではなく雨・埃は防ぎ、風をある程度通すことにより、自転車、スクーターの本来の運転者が、快適に風を受けることが出来るようにし、また自転車等の前部に付いているカゴを蓋することにより、防犯対策にもなるフードを提供することを目的とする。
【課題を解決するための手段】
【０００４】  本考案は、上記目的を達成する為に、次のような技術的手段をとる。
即ち、本考案はネットを使用することにより虫や雨や埃は防ぎ、風は通し、フードが立設の状態では運転者の顔の前の位置にネットを固定でき、且つ傾斜の状態では前カゴを蓋できる位置に固定でき、防犯対策となる。
【考案の効果】
【０００５】  本考案は、立設状態で虫除け、雨避け、埃避けになり、自転車・スクーター本来の快適に風を受け運転をすることができ、また自転車・スクーター前部に付いているカゴを蓋することにより防犯対策になる効果がある。
【考案を実施するため最良の形態】
【０００６】  以下、本考案の実施の形態を図面に基づいて説明する。
図１、５は本考案に係るフードの実施形態を示している。
【実施例１】
【０００７】  このフードは自転車等のハンドル部より支持され立設時に運転者の顔の位置になるようにネット１２が可動、固定ができるように形成されている。
また、傾斜時には前カゴを覆う位置にネット１２を可動させて、カゴ２の位置に合せて使用する。【０００８】  ハンドル１にステーを支持し、そのステー３・４にフレーム５が支持されている。ステー３・４で支持されているハンドル部、フレーム５が回転自在に支持されているので、フレーム５を立設、傾斜することが出来る。【０００９】  レール６・７は、ネット１２両側に固定できるように形成されている。レール６・７、ネット１２が固定されたものがフレーム５に枢着されている。
また、フレーム５にレール６・７がスライド動作自在に形成されており、任意の位置でレール６・７をフレーム５に固定できるようにストッパー８・９に固定用ネジ１０・１１が設けられている。
【図面の簡単な説明】
【００１０】
【図１】  自転車用防虫兼防犯ネットを立設させた状態を示す正面図である。
【図２】  自転車用防虫兼防犯ネットを立設させた状態を示す側面図である。
【図３】  自転車用防虫兼防犯ネットの変位状態を示す正面図である。
【図４】  自転車用防虫兼防犯ネットを傾斜させた状態を示す側面図である。
【図５】  自転車用防虫兼防犯ネットを立設させた状態を示す斜視図である。
【符号の説明】
【００１１】１      ハンドル
２      カゴ
３      ステー
４      ステー
５      フレーム
６      レール
７      レール
８      ストッパー
９      ストッパー
１０    固定用ねじ
１１    固定用ねじ
１２    ネット
【図１】
0003100907.tif 000003
【図２】
0003100907.tif 000004
【図３】
0003100907.tif 000005
【図４】
0003100907.tif 000006
【図５】
0003100907.tif 000007
(57)【要約】      （修正有）【課題】地図を見る時に現在位置の方位が、簡単に分かる様にする事を目的とする。【解決手段】本考案は、方位コンパス１を地図２に取り付る。現在位置において、地図を水平に回して、方位コンパスの北の指示方向に、地図の北方向を合わせれば、簡単に現在位置の方位が分かる。【選択図】図１
0003100905.tif 000002
【実用新案登録請求の範囲】
【請求項１】
方位コンパス（１）を地図（２）に取り付けた方位コンパス付き地図。
【考案の詳細な説明】
【考案の詳細な説明】
【技術分野】
【０００１】  本考案は、地図に方位コンパスを取り付けた、方位コンパス付き地図。
【背景技術】
【０００２】  従来は、地図を見る時に、現在位置の方位が分かりにくい。
【考案が解決しようとする課題】
【０００３】  本考案は、地図を見る時に簡単に、現在位置の方位が分かるようにする目的。
【考案が解決するための手段】
【０００４】  本考案は、地図で現在の位置の方位が分らなくても、方位コンパスを地図に取り付ける事により、簡単に方位が分るように講じたものである。
【考案を実施するための最良の形態】
【０００５】  本考案は、方位コンパスを地図に取り付け、方位コンパスの北の指示方向に、地図も北方向に合わせれば、簡単に現在位置の方位が分かる。
【図面の簡単な説明】
【図１】方位コンパスを取り付けた平面図
【図２】方位コンパスを地図に取り付けた側面図
【符号の説明】
１・・・方位コンパス
２・・・地図
３・・・地図の北方位印し
【図１】
0003100905.tif 000003
【図２】
0003100905.tif 000004
(57)【要約】
【課題】本考案は、草花の組立てを遊び乍ら行い、同時に、名称等を覚える事の一助とする。
【解決手段】本考案は、１体の草花を完成させる為に、１〜４の部位の結合部（各ａ，ｂ，部）の形状、大小に留意し、寸法形状に、変化を附す事により、種別の違う結合を、防ぐ事とする。
【選択図】  図１
0003100908.tif 000002
【実用新案登録請求の範囲】
【請求項１】
プラスチック製の造花を簡単な、組立可能の数部品に分割した物で４〜５種類を１単位とし組立てを目的としたジグソーパズルを立体化させた幼児用玩具です。
【考案の詳細な説明】
【技術分野】
【０００１】本考案は、分割した造花を用い組立てを楽しむ幼児用玩具に関するものである。
【背景技術】
【０００２】本考案は、草花を用いた玩具の多くが、ヌリ絵等の平面的な、市販品に対処しょうとするものである。
【考案の開示】
【考案が解決しょうとする課題】
【０００３】本考案は、幼児向けの玩具が、ヌリ絵や積木、乗り物、ロボット類、人形、動物ヌイグルミ等が多数を占め、草花を用いた玩具が少なく、情操教育を促進させる機会が、その分少ないと思うので前述の欠点を解決しょうとするものである。
【課題を解決する為の手段】
【０００４】プラスチック製の造花を、幼児の年齢、知能に対応出来る様に４〜１０部品程に分割し結合部の形状や大きさをそれぞれ同数作り、草花の種類の違う組立てが不可能に作製する事で問題点を解決している。
【考案の効果】
【０００５】上述の様に遊びながら組立て作業を行い取付位置に、名称、花言葉等を附す事で草花の名称、形、花言葉等を自然に覚える事に役立つ。
【考案の実施する為の最良の形態】
【０００６】数種の草花のパーツを、年齢、知能により形状の大小、組合せ数を変えるとし、完成品の３〜５点で１セットとして、入れ物箱に納め、入れ物箱の裏面等に組立保持用の装置（取付穴）等を設ける、幼児に組立てを行わせる時には、１セット分を混合させ、後に、ジグソーパズルの立体型の要領で組立てを勧める。
【実施例】
【０００７】以下、添付図面に従って実施例を説明する。
１〜４は、色付のプラスチック品を、実物に似せて作る。
チューリップの各部位で形成されるものとする。
１の花の部位を１−ａ、１−ｂを利用し結合させ、２の茎の部位は、２−ａ、２−ｂを利用し、３の球根部４の葉部も同様とし、組立順としては、６の納入用紙箱等の裏面を利用し、５の名称等の名札の位置に合せて、３，２，１，４，の様に任意で組立てる。
【図面の簡単な説明】
【０００８】
【図１】本考案の組立て草花の１点（チューリップ）を１例にした、正面図である。
【符号の説明】
【０００９】１．花部        ５．名称、花言葉等を付した名札、
２．茎部        ６．完成図付入物用紙箱、
３．球根部      ７．ａは各部位、結合部の凸部、
４．葉部        ８．ｂは、      〃      凹部、
【図１】
0003100908.tif 000003
(57)【要約】      （修正有）【課題】温室軸組み部材の溶接部分を無くす。【解決手段】溶接部材のプレートとアングルピースをボルト止めにする事に依り、プレートとアングルピースを軸組組立時に行う事で、溶接、ペイント錆止を無くせる事と溶接箇所の凹凸が無くなり、ストック場所に於いても少面積ですみ又運搬に於いても荷締めが完全に出き、運搬車輌台数が減らせる。【選択図】図２
0003100906.tif 000002
【実用新案登録請求の範囲】
【請求項１】
温室軸組み部材の溶接部分を無くした温室。
【考案の詳細な説明】
【技術分野】
【０００１】  本考案は温室軸組み部材の溶接部分を無くした温室に関するものである。
【背景技術】
【０００２】  温室部材の合掌、柱材に、母屋、胴縁、固定用アングルピースを溶接していた。
【考案の開示】
【考案が解決しようとする課題】
【０００３】  溶接加工に於いて溶接機具、溶接技術者が必要である。溶接時素材が亜鉛メッキ鋼材であるため亜鉛ガスが発生しマスクをつけても作業を嫌がること。【０００４】  溶接箇所の錆止としてペイント塗布仕上げがあり工場内の美観清掃にコストが掛かる。アングルピース溶接加工後突起物が出ることによりストックに於いても置き場スペースが広い面積を必要とする。製品運搬に於いてアングルピースの突起物の角による衣服、手袋の引っ掛けによる危険作業の発生がある。建設現場への運搬運賃コストもアングルピースの突起物により荷が少量しか積めなく、又荷締めが完全でなく不安定であり運賃もより高くついている。
【課題を解決するための手段】
【０００５】  本考案は、従来のアングルピースの溶接を無くしボルト止にすることに依り問題点を解決している。
【考案の効果】
【０００６】  溶接を無くしたことに依り、部分的な塗装も皆無となり外観上も優れた温室となった。加工に於ては作業の安全性が高まりコストも安価になった。ストックヤードは従来の半分の面積となり運搬に於ても運賃は半減し、安全性が確保された。
【考案を実施するための最良の形態】
【０００７】  従来の溶接をする角パイプ合掌材、柱材の箇所に埋め込みナットの径の穴を開け埋め込みナットを器具にて埋め込む。従来の溶接をするアングルピースにボルト径の穴を開ける。
【実施例】
【０００８】  以下、添付図面に従って一実施例を説明する。母屋材２に下穴を開けて埋め込みナットを装着する。接合するアングルピース４と従来溶接する面にボルト穴を開ける。合掌材３とアングルピース４をボルトにて接合する。
【図面の簡単な説明】
【０００９】
【図１】温室ハウスの軸組図
【図２】軸組接合部の拡大図
【図３】埋込ナットの取付断面図
【符号の説明】
【００１０】    １  接合部
２  母屋、胴縁材
３  角パイプ合掌材
４  アングルピース
５  埋込ナット
６  埋込ナット器具
【図１】
0003100906.tif 000003
【図２】
0003100906.tif 000004
【図３】
0003100906.tif 000005
(57)【要約】
【課題】  紙材料で形成でき、強度が大きい棺桶を提供する。
【解決手段】  前側板２１および後側板２２の両側部には複数の突出する第１楔形歯が形成され、左側板２３および右側板２４の両側部には楔形歯と対応する位置に第１楔形溝が形成されている。第１楔形歯が第１楔形溝に嵌入結合され、前側板２１および後側板２２は左側板２３および右側板２４と結合されている。中横架２９の両端部には第２楔形歯２９１が形成され、左横架２７および右横架２８の上端部には第２楔形溝２８１が形成されている。第２楔形歯２９１は第２楔形溝２８１に結合されている。内部には底板３が設置され、上部には蓋が被覆され設置されている。紙材料で形成され、耐荷重および耐張力が大きく、強度は大きく形成されている。組立は便利であり、製造コストを低減できる。
【選択図】    図２
0003100997.tif 000002
【実用新案登録請求の範囲】
【請求項１】
蓋と、底板と、前側板と、後側板と、左側板と、右側板と、中横架と、左横架と、右横架とを備え、
前記前側板および前記後側板の両側部には複数の突出する第１楔形歯が形成され、前記左側板および前記右側板の両側部には前記楔形歯と対応する位置に第１楔形溝が形成され、前記第１楔形歯が前記第１楔形溝に嵌入結合され、前記前側板および前記後側板は前記左側板および前記右側板と結合され、
前記中横架の両端部には第２楔形歯が形成され、前記左横架および前記右横架の上端部には第２楔形溝が形成され、前記第２楔形歯は前記第２楔形溝に結合され、
内部に前記底板が設置され、前記蓋が被覆されていることを特徴とする棺桶。
【考案の詳細な説明】
【技術分野】
【０００１】
本考案は、棺桶に関する。
【背景技術】
【０００２】
従来より、棺桶は原木材料より形成されている。
【考案の開示】
【考案が解決しようとする課題】
【０００３】
しかしながら、原木材料は環境問題に影響を与え、強度が小さい。
そこで、本考案の目的は、紙材料で形成でき、強度が大きい棺桶を提供することにある。
【課題を解決するための手段】
【０００４】
本考案請求項記載の棺桶によると、前側板および後側板の両側部には複数の突出する第１楔形歯が形成され、左側板および右側板の両側部には楔形歯と対応する位置に第１楔形溝が形成されている。第１楔形歯が第１楔形溝に嵌入結合され、前側板および後側板は左側板および右側板と結合されている。中横架の両端部には第２楔形歯が形成され、左横架および右横架の上端部には第２楔形溝が形成されている。第２楔形歯は第２楔形溝に結合されている。内部には底板が設置され、上部には蓋が被覆され設置されている。
紙材料で形成され、耐荷重および耐張力が大きく、強度は大きく形成されている。組立は便利であり、製造コストを低減できる。
【考案を実施するための最良の形態】
【０００５】
以下、本考案の実施の形態を図面に基づいて説明する。
図１に示すように、本考案の一実施例による棺桶によると、数十層の強度を有する紙が互いに重ね合わされ接着され、所定の厚さおよび強度を有する紙が圧着成型され形成されている蓋１、棺桶２および底板３を備える。蓋１はコ字形の蓋板１１と、蓋板１１の上部に接着されている頂板１２と、頂板１２の下側部に接着されている当板１３とを有する。当板１３のサイズは蓋板１１の内面よりやや小さく、当板１３の縁部と蓋板１１の主辺１１１には隙間１４が形成されている。図４に示すように、隙間１４の幅は棺桶２の側板の厚さと等しく形成され、側板の上端部が隙間１４に嵌入され、棺桶２の上端部は囲い被覆される。頂板１２は蓋板の頂面よりもやや小さい紙板で形成され、棺桶２の強度は増加される。紙棺桶であるため、頂板１２の上面に文字、紋柄または図形が印刷されることができる。
【０００６】
図２に示すように、棺桶２は前側板２１、後側板２２、左側板２３、右側板２４、前横架２５、後横架２６、左横架２７、右横架２８および中横架２９が組み立てられ形成されている。前横架２５、後横架２６、左横架２７および右横架２８はそれぞれ前側板２１、後側板２２、左側板２３および右側板２４の内面下側部に接着され、左２７および右横架２８の上端部の所定の位置には複数の楔形溝２８１が形成されている。前側板２１および後側板２２の両側部には複数の突出する楔形歯２１１が形成されている。楔形歯は、横方向に配置される主体の等辺楔形が前側板２１および後側板２２の両側部から突出する形状に形成されている。楔形歯２１１の両辺２１３は外側部の歯縁２１２から側板の内部の歯頸部２１４に延伸されている。歯縁２１２のサイズは歯頸部２１４より大きく、左側板２３および右側板２４の両側部の楔形歯２１１に対応する位置には、楔形歯の外形に対応する複数の楔形溝２３１が形成されている。図３に示すように、楔形歯２１１が楔形溝２３１に嵌入結合され、前側板２１および後側板２２が左側板２３および右側板２４に接続される。楔形溝２３１は楔形歯２１１に固定され、左側板２３および右側板２４は前側板２１および後側板２２の両側から離脱されない。側板が互いに結合され貼り合わされ、両端部に側板のような楔形歯が形成されている中横架２９が左横架２７および右横架２８の上端部の楔形溝２８１を結合され、棺桶２が形成される。棺桶の底部の中横架２９の強化作用により、棺桶２の内部には底板３が設置され、荷重効果を増加することができる。蓋１が被覆され、完全な棺桶が形成される。
【０００７】
本実施例はすべて積層紙板で形成されているため、１００キログラム以上の重さに耐えられる抗圧能力を有し、棺桶の底部は中横架により補強されているため、底板は大きな荷重に耐えることができる。また、前側板、後側板、左側板および右側板の両側部の楔形歯および楔形溝は互いに嵌入されているため、棺桶は圧力および張力に耐えられるよう形成されている。蓋の頂板により棺桶の蓋の強度は増加され、上部には文字、紋柄または図形が印刷されることができる。したがって、部材が簡単で生産し易く、構造および組立が容易である。
【図面の簡単な説明】
【０００８】
【図１】本考案の一実施例による棺桶を示す斜視図である。
【図２】本考案の一実施例による棺桶を示す分解斜視図である。
【図３】本考案の一実施例による棺桶の前側板および左側板を示す斜視図である。
【図４】本考案の一実施例による棺桶の蓋を示す模式図である。
【符号の説明】
【０００９】
１  蓋、２  棺桶、３  底板、１１  蓋板、１２  頂板、１３  当板、１４  隙間、２１  前側板、２２  後側板、２３  左側板、２４  右側板、２５  前横架、２６  後横架、２７  左横架、２８  右横架、２９  中横架、２１１  楔形歯、２１２  歯縁、２３１  楔形溝、２８１  楔形溝
【図１】
0003100997.tif 000003
【図２】
0003100997.tif 000004
【図３】
0003100997.tif 000005
【図４】
0003100997.tif 000006